(57)【特許請求の範囲】
【請求項１】
略棒状のリムーバーの一端に設けられ、磁力発生面を備えた吸着ヘッド部に着脱可能に装着されるリムーバー用カバーであって、
上記吸着ヘッド部の先端から上記磁力発生面までを覆う袋部と、
該袋部の開口側に設けられ、上記吸着ヘッド部が挿入される挿入口を備えた環状縁部と、
該環状縁部から延設された一対の把持部とを有しており、
上記環状縁部は上記袋部側から上記挿入口へ向かうにつれて開口径が大きくなる拡開部を有していることを特徴とするリムーバー用カバー。
【請求項２】
上記環状縁部は、上記挿入口から外方へ拡開する鍔状部を有していることを特徴とする請求項１に記載のリムーバー用カバー。
【請求項３】
上記リムーバー用カバーは、２枚のシート材を重ねるとともに、その周囲の一部を接合することにより形成されていることを特徴とする請求項１または２に記載のリムーバー用カバー。
【請求項４】
上記シート材は、上記袋部となる袋部領域と、上記環状縁部となる縁部領域と、上記把持部となる把持部領域とを連ねた形状を有しており、上記リムーバー用カバーは、上記２枚のシート材における、少なくとも上記袋部領域の外周部及び上記縁部領域の外周部が接合されてなることを特徴とする請求項３に記載のリムーバー用カバー。
【請求項５】
上記縁部領域は上記袋部領域側から遠ざかるにつれて幅が広がるように構成された拡開領域を有していることを特徴とする請求項４に記載のリムーバー用カバー。
【請求項６】
上記拡開領域は、外周部の少なくとも一部に円弧状に湾曲した弧状部を有していることを特徴とする請求項５に記載のリムーバー用カバー。
【請求項７】
上記弧状部は３ｍｍ以上の曲率半径を有していることを特徴とする請求項６に記載のリムーバー用カバー。
【請求項８】
上記拡開領域は、その外周部における上記把持部領域側の一対の端点を結んでなる仮想線を基準としたときに、少なくとも一方の上記端点において、当該端点から上記袋部領域側に向かって引いた接線と上記仮想線とのなす角度が７０°以下であることを特徴とする請求項５〜７のいずれか１項に記載のリムーバー用カバー。
【請求項９】
上記把持部領域は上記縁部領域に連なる部分において該縁部領域よりも大きい幅寸法を有しており、上記リムーバー用カバーは、上記把持部領域の外周部における上記縁部領域よりも外方が更に接合されてなることを特徴とする請求項４〜８のいずれか１項に記載のリムーバー用カバー。
【発明の詳細な説明】
【技術分野】
【０００１】
本発明は、ペースト状の美容剤を磁力によって吸着除去するリムーバーに装着するリムーバー用カバーに関する。
【背景技術】
【０００２】
美容のために用いられるペースト状の美容剤は、塗布後に時間をおくことで皮膜状になるものと、時間をおいてもペースト状態を維持するものとに大別される。塗布後に皮膜状になる美容剤は、その一部を把持して引き剥がすことにより、容易に肌から分離することができる。一方、塗布後にペースト状態を維持する美容剤を使用後に肌から除去する方法としては、コットン等による拭き取りや、ぬるま湯等により洗い落とす方法が一般的である。
【０００３】
これらの一般的方法よりもより簡便に使用後の美容剤を除去する方法として、肌に塗布した美容剤を磁力により吸着して除去する方法が提案されている。例えば特許文献１や特許文献２には、鉄粉を混合した美容剤と、本体に磁石を備えたリムーバーとを組み合わせて用いる方法が提案されている。これらのリムーバーは、本体の磁石がキャップ部により覆われており、磁石の磁力により美容剤中の鉄粉をキャップ部の表面に吸着させることができるよう構成されている。
【０００４】
また、これらのリムーバーは、キャップ部をスライド可能に設けてあり、キャップ部と磁石との間の距離を変化させることができるよう構成されている。これにより、使用後の美容剤が付着した鉄粉をキャップ部に吸着させた後、キャップ部を磁石から離す方向にスライドして鉄粉に作用する磁力を弱めることにより、鉄粉及びこれに付着する美容剤をキャップ部から除去しやすくすることができる。
【先行技術文献】
【特許文献】
【０００５】
【特許文献１】特開２００５−３１２４９７号公報
【特許文献２】特開２００４−１８７８７４号公報
【発明の概要】
【発明が解決しようとする課題】
【０００６】
特許文献１や特許文献２に記載のリムーバーは、キャップ部をスライドさせて磁石から離すことにより、鉄粉に作用する磁力を弱めることができる。そのため、キャップ部をスライドさせれば容易に鉄粉を落下させることができる一方、不用意にキャップ部をスライドさせてしまうと、吸着されていた鉄粉がキャップ部から意図せず脱落して散逸するおそれがあり、使用しづらいものとなっていた。
【０００７】
本発明は、上記の背景に鑑みてなされたもので、使用後の美容剤の散逸を容易に抑止可能なカバーを提供しようとするものである。
【課題を解決するための手段】
【０００８】
本発明の一態様は、略棒状のリムーバーの一端に設けられ、磁力発生面を備えた吸着ヘッド部に着脱可能に装着されるリムーバー用カバーであって、
上記吸着ヘッド部の先端から上記磁力発生面までを覆う袋部と、
該袋部の開口側に設けられ、上記吸着ヘッド部が挿入される挿入口を備えた環状縁部と、
該環状縁部から延設された一対の把持部とを有しており、
上記環状縁部は上記袋部側から上記挿入口へ向かうにつれて開口径が大きくなる拡開部を有していることを特徴とするリムーバー用カバーにある。
【発明の効果】
【０００９】
上記リムーバー用カバー（以下、「カバー」という。）は、上記吸着ヘッド部を上記挿入口に挿入することにより上記吸着ヘッド部に装着できるように構成されている。そして、上記袋部は、上記吸着ヘッド部に装着された状態において上記磁力発生面を覆うことができるよう構成されている。そのため、磁力により吸着され得る美容剤を肌に塗布した後、上記カバーを装着した上記吸着ヘッド部を上記美容剤に近づけることにより、使用済みの上記美容剤が上記吸着ヘッド部に直接付着することを抑制できる。
【００１０】
また、上記カバーの上記環状縁部は上記拡開部を有している。そのため、上記吸着ヘッド部を上記挿入口内に容易に挿入することができ、結果として上記吸着ヘッド部を容易に装着することができる。
【００１１】
また、上記カバーを取り外すとき、使用者が上記吸着ヘッド部の先端側へ向けて上記一対の把持部を引っ張ることにより、上記拡開部が上記吸着ヘッド部の先端側へ向かって折り返されるように上記環状縁部を変形させることができる。その結果、上記カバーが折り返されてなる折り返し部を上記挿入口に沿って環状に形成することができる。
【００１２】
そして、上記折り返し部が形成された状態において、更に上記一対の把持部を上記吸着ヘッド部の先端側へ向けて引っ張ることにより、上記袋部の表面に吸着された使用済みの上記美容剤が上記折り返し部に収容される。その結果、上記カバーを取り外すときに、美容剤がカバー外部に漏出して吸着ヘッド部に直接吸着することを抑制できる。
【００１３】
このように、上記カバーは、上記リムーバーにより肌から取り除いた美容剤がカバー外部へ漏出する等の意図しない上記美容剤の散逸を抑制することができ、リムーバーの使いやすさを向上させることができる。
【図面の簡単な説明】
【００１４】
【図１】実施例１における、カバーをリムーバーに装着した状態の斜視図。
【図２】実施例１における、カバーを装着したリムーバーを磁力発生面側（下方）から見た平面図。
【図３】実施例１における、カバーの斜視図。
【図４】実施例１における、シート材を厚み方向から見た平面図。
【図５】実施例１における、一対の把持部を反転変形させた状態の側面図。
【図６】実施例２における、一対の磁力発生面を備えたリムーバーにカバーを装着した状態の側面図。
【図７】実施例２における、シート材を厚み方向から見た平面図。
【発明を実施するための形態】
【００１５】
上記カバーは、上記拡開部を有することにより、表面と裏面との反転変形を容易に行うことができる。即ち、上記カバーは、取り外すときに使用者が上記一対の把持部を引っ張ることにより、環状縁部及び袋部を容易に反転変形させることができる。その結果、カバーを取り外す作業により使用済みの美容剤がカバーの外部に漏出することを抑制しつつ、反転変形後の袋部内に容易に収容することができる。また、使用済みの美容剤を袋部内に収容することにより、美容剤を廃棄する際にカバーの外部に漏出することも効果的に抑制することができる。
【００１６】
上記環状縁部は、上記挿入口から外方へ拡開する鍔状部を有していてもよい。この場合には、吸着ヘッド部の先端側へ向かって一対の把持部を引っ張ることにより、上記カバーの表面と裏面とをより容易に反転させることができる。また、カバーの反転変形の過程において、鍔状部と袋状部との間に環状の折り返し部を自然に形成することができる。これらの結果、上記カバーは、美容剤がカバー外部に漏出して吸着ヘッド部に直接吸着することをより効果的に抑制することができ、リムーバーの使い易さをより向上させることができる。
【００１７】
鍔状部は、例えば、リムーバーに取り付けた状態において、リムーバーの長手方向と略直交する平面に沿って拡開した形状とすることができる。また、鍔状部は、把持部側の端部が挿入口よりも吸着ヘッド部側に位置するように、予め吸着ヘッド部側に折り返された形状を有していても良い。
【００１８】
上記カバーは、２枚のシート材を重ねるとともに、その周囲の一部を接合することにより形成されていてもよい。シート材は安価に入手可能であるため、シート材を用いてカバーを作製することにより、カバーの材料コストを容易に低減することができる。また、この場合には、２枚のシート材を接合するという簡素な工程により上記カバーを作製することができるため、真空成形や圧縮成形等の立体成形により作製されたカバーに比べて加工コストを容易に低減することができ、更には生産性をより高めることができる。これらの結果、上記カバーのコストダウンをより容易に行うことができる。
【００１９】
カバーに用いる上記シート材の材質は、公知の材料の中から適度な柔軟性を有するものを選択することができる。シート材としては、例えば、布材や、ポリエチレン、ポリプロピレン、ナイロン、ポリビニルアルコール、ウレタンあるいはシリコーン等の種々の樹脂をフィルム状に成型したものをシート材として使用することができる。また、ポリエチレンを用いる場合には、厚さが０．０２〜０．２ｍｍのものを使用することができる。これらのシート材は、反転変形をさせることができるカバーにも好適である。
【００２０】
また、この場合において、上記２枚のシート材間の接合は、接着剤による接着や熱圧着等の公知の方法によって行うことができる。
【００２１】
上記シート材は、上記袋部となる袋部領域と、上記環状縁部となる縁部領域と、上記把持部となる把持部領域とを連ねた形状を有しており、上記カバーは、上記２枚のシート材における、少なくとも上記袋部領域の外周部及び上記縁部領域の外周部が接合された構成を有していてもよい。この場合において、上記縁部領域は上記袋部領域側から遠ざかるにつれて幅が広がるように構成された拡開領域を有していることが好ましい。上記の構成を有するシート材を用いることにより、拡開部を有するカバーを容易に形成することができる。
【００２２】
また、上記拡開領域は、外周部の少なくとも一部に円弧状に湾曲した弧状部を有していることが好ましい。この場合には、カバーの反転変形を開始するときにカバーにかかる荷重を、上記弧状部により分散させることができる。そのため、例えば拡開部における把持部側の端部等の、反転変形時に荷重が集中し易い部分をより破れにくくすることができる。その結果、使用済みの美容剤がカバー外部に漏出する等の問題をより効果的に抑制することができる。
【００２３】
また、上記拡開領域が上記弧状部を有していることにより、カバーの反転変形を開始するときに、吸着ヘッド部の先端側へ向かって折り返された折り返し部をより容易に形成することができる。それ故、カバーの反転変形をより容易に行うことができると共に、使用済みの美容剤がカバー外部に漏出する等の問題をより効果的に抑制することができる。
【００２４】
上記弧状部の曲率半径は、３ｍｍ以上であることがより好ましい。上記弧状部の曲率半径が３ｍｍ未満の場合には、上述した荷重を分散させる効果が不十分となるおそれがある。
【００２５】
上記拡開領域は、その外周部における上記把持部領域側の一対の端点を結んでなる仮想線を基準としたときに、少なくとも一方の上記端点において、当該端点から上記袋部領域側に向かって引いた接線と上記仮想線とのなす角度が７０°以下であることが好ましい。この場合には、カバーの反転変形を開始するときに、吸着ヘッド部の先端側へ向かって折り返された折り返し部をより容易に形成することができる。それ故、カバーの反転変形をより容易に行うことができると共に、使用済みの美容剤がカバー外部に漏出する等の問題をより効果的に抑制することができる。
【００２６】
また、上記把持部領域は上記縁部領域に連なる部分において該縁部領域よりも大きい幅寸法を有していてもよい。この場合において、上記カバーは、上記把持部領域の外周部における上記縁部領域よりも外方が更に接合された構成を有していることが好ましい。この場合には、カバーの環状縁部に鍔状部を形成することができる。それ故、カバーの反転変形をより容易に行うことができると共に、使用済みの美容剤がカバー外部に漏出する等の問題をより効果的に抑制することができる。
【実施例】
【００２７】
（実施例１）
上記リムーバー用カバーの実施例について、図１〜図５を用いて説明する。図１及び図２に示すように、カバー１を装着するリムーバー２は略棒状を呈しており、その一端に磁力発生面２１を備えた吸着ヘッド部２２を有している。カバー１は、リムーバー２の吸着ヘッド部２２に着脱可能に装着できるように構成されている。図１〜図３に示すように、カバー１は、吸着ヘッド部２２の先端から磁力発生面２１までを覆う袋部１１と、袋部１１の開口側に設けられ、吸着ヘッド部２２が挿入される挿入口１２１を備えた環状縁部１２と、環状縁部１２から延設された一対の把持部１３とを有している。そして、環状縁部１２は袋部１１側から挿入口１２１へ向かうにつれて開口径が大きくなる拡開部１２２を有している。
【００２８】
また、本例のカバー１における環状縁部１２は、挿入口１２１から外方へ拡開する鍔状部１２３を有している。
【００２９】
カバー１は、図３及び図４に示すように、同一の形状を有する２枚のシート材３から構成されている。シート材３は、最厚部の厚さが０．０５ｍｍであるメタロセン低密度ポリエチレンより構成されている。これにより、カバー１は、反転変形が可能な程度の柔軟性とともに伸縮性を有している。また、図には示さないが、シート材３にはエンボス加工が施されており、表面に細かい凹凸形状が付与されている。
【００３０】
図４に示すように、シート材３は、袋部１１となる袋部領域３１と、環状縁部１２となる縁部領域３２と、把持部１３となる把持部領域３３とを連ねた形状を有している。本例のシート材３における、袋部領域３１の前端３１１から把持部領域３３の後端３３１までの長さ寸法は２４５ｍｍである。
【００３１】
袋部領域３１は、前端３１１から把持部領域３３側へ向かうにつれて次第に幅が広くなるように形成されている。また、袋部領域３１の外周部３１２は略Ｕ字状に湾曲した形状を呈している。
【００３２】
縁部領域３２は、袋部領域３１から遠ざかるにつれて幅が広がるように構成されている。即ち、本例の縁部領域３２は、全体が拡開領域３２１となるように構成されている。縁部領域３２の外周部３２２は、袋部領域３１の外周部３１２に連なり直線状を呈する一対の直線部３２２ａと、一対の直線部３２２ａに連なり円弧状に湾曲した一対の弧状部３２２ｂとを有している。本例における弧状部３２２ｂの曲率半径は３ｍｍである。
【００３３】
本例の縁部領域３２は、把持部領域３３側の端縁において最大の幅寸法を有している。縁部領域３２の最大の幅寸法、即ち一対の弧状部３２２ｂにおける把持部領域３３側の端点３２３を結んだ距離は１０６ｍｍである。また、縁部領域３２は、一対の端点３２３を結んでなる仮想線Ｌを基準としたときに、端点３２３から袋部領域３１側に向かって引いた接線（図示略）と仮想線Ｌとのなす角度が０°となるように構成されている。
【００３４】
把持部領域３３は、その後端３３１から縁部領域３２側へ向かうにつれて幅が広くなるように形成された台形部３３２と、台形部３３２と縁部領域３２との間に配置された長方形部３３３とを有しており、長方形部３３３の幅が最大となるように構成されている。また、把持部領域３３における最大の幅寸法、即ち長方形部３３３の幅寸法は、拡開領域３２１の最大の幅寸法よりも大きい。具体的には、長方形部３３３の幅寸法は１３６ｍｍである。
【００３５】
本例のカバー１は、上記の構成を有する２枚のシート材３を重ね合わせ、袋部領域３１の外周部３１２及び縁部領域３２の外周部３２２を接合することにより構成されている。更に、本例のカバー１は、長方形部３３３の外周部における、縁部領域３２側の辺部３３４が接合されている。
【００３６】
次に、カバー１を装着するリムーバー２について説明する。なお、以下において、リムーバー２に関する方向は、特に断りのない限り、長手方向における吸着ヘッド部２２を有する端部の方向を前方とし、その反対側を後方とする。また、磁力発生面２１の設けられた方向を下方とし、その逆方向を上方とする。また、前後方向及び上下方向の双方と直交する方向を側方ということがある。これらの方向表示は便宜上のものであり、リムーバー２の使用時における実際の向きとは何ら関係がない。
【００３７】
カバー１を装着するリムーバー２は、図５に示すように、側方から見たときに、前後方向（長手方向）の中央部２３が両端部２４に対して上方に位置するように湾曲して形成されている。また、リムーバー２の両端部２４は、図２に示すように、上下方向から見たときの外形線が略円弧状を呈している。また、リムーバー２の長手方向の中央部２３は、上下方向から見たときに両端部２４に比べて幅狭に形成されている。
【００３８】
図２及び図５に示すように、吸着ヘッド部２２は、リムーバー２の長手方向と略直交する方向（下方）に膨出した膨出部を有している。また、膨出部は、その頂面部分に磁力発生面２１を有している。
【００３９】
次に、カバー１の使用方法の例を説明する。図３及び図４に示すように、本例のカバー１は、２枚のシート材３の縁部領域３２同士が接合されてなる環状縁部１２の後端に、吸着ヘッド部２２を挿入する挿入口１２１を有している。使用者は、カバー１を構成する２枚のシート材３のうち、一方のシート材３ａを下方（磁力発生面２１側）に向けた状態で、吸着ヘッド部２２を挿入口１２１に挿入する。そして、磁力発生面２１が袋部１１により覆われるまで吸着ヘッド部２２をカバー１内に進入させる。以上によりカバー１を装着する。
【００４０】
カバー１が吸着ヘッド部２２に装着された状態において、下方のシート材３ａの把持部領域３３よりなる把持部１３ａと、上方のシート材３ｂの把持部領域３３よりなる把持部１３ｂとは、図１及び図５に示すように、リムーバー２を挟んで上下方向における互いに反対側に配置される。また、磁力発生面２１は、下方のシート材３ａの袋部領域３１により覆われる。
【００４１】
使用者は、予め肌に塗布した美容剤４に吸着ヘッド部２２の磁力発生面２１を近づけ、磁力発生面２１の磁力により、美容剤４を袋部１１の表面に吸着させることができる。
【００４２】
袋部１１の表面に吸着された美容剤４を廃棄する際、使用者は一対の把持部１３を上下方向に開き、次いで図５に示すように一対の把持部１３を前方へ向けて折り返す。この時、把持部１３の変位に伴って鍔状部１２３が自然に反転し、次いで環状縁部１２の後端が
鍔状部１２３に伴って反転する。その結果、挿入口１２１に沿った環状を呈し、挿入口１２１から前方へ向かうにつれて拡開した折り返し部１４が形成される。
【００４３】
その後、一対の把持部１３を前方へ向けて引っ張ることにより、環状縁部１２及び袋部１１を容易に反転変形させることができる。そして、このようにカバー１の反転変形を行うことにより、使用済みの美容剤４をカバー１の内部に収容することができる。
【００４４】
次に、本例の作用効果について説明する。カバー１は、吸着ヘッド部２２を挿入口１２１から挿入することにより吸着ヘッド部２２に装着できるように構成されている。そして、袋部１１は、吸着ヘッド部２２に装着された状態において磁力発生面２１を覆うことができる。そのため、使用済みの美容剤４が吸着ヘッド部２２に直接付着することを抑制できる。
【００４５】
また、カバー１の環状縁部１２は拡開部１２２を有しているため、上述したようにカバー１の反転変形を行うことにより、使用済みの美容剤４をカバー１の内部に収容することができる。
【００４６】
また、カバー１は、拡開部１２２に加えて鍔状部１２３を有しているため、反転変形の過程において、カバー１が折り返されてなる環状の折り返し部１４を自然に形成することができる。それ故、カバー１を反転変形させる過程において、美容剤４がカバー１の外部に漏出して吸着ヘッド部２２に直接吸着することをより効果的に抑制できる。
【００４７】
このように、カバー１は、リムーバー２により肌から取り除いた美容剤４がカバー１の外部へ漏出する等の意図しない美容剤４の散逸を抑制することができ、リムーバー２の使いやすさを向上させることができる。
【００４８】
また、本例においては、各シート材３における袋部領域３１の外周部３１２が円弧状を呈している。そのため、本例のカバー１は、吸着ヘッド部２２への装着や反転変形の際等に、カバー１の変形に伴う荷重が袋部領域３１の外周部３１２に集中しにくい。それ故、本例のカバー１は、着脱の際等に袋部１１を破れにくくすることができ、結果として美容剤４の漏出をより効果的に抑制することができる。
【００４９】
（実施例２）
本例は、鍔状部１２３を有さないカバー１ｂの例である。本例のカバー１ｂは、図６に示すように、袋部１１ｂと、環状縁部１２ｂと、一対の把持部１３ｃとを有している。そして、環状縁部１２ｂは袋部１１ｂ側から挿入口１２１ｂへ向かうにつれて開口径が大きくなる拡開部１２２ｂを有している。
【００５０】
図６及び図７に示すように、カバー１ｂは、袋部領域３１ｃ、縁部領域３２ｃ及び把持部領域３３ｃを有する２枚のシート材３ｃを重ね、袋部領域３１ｃの外周部３１２ｃ及び縁部領域３２ｃの外周部３２４を接合することにより形成されている。なお、図６及び図７において用いた符号のうち、実施例１において用いた符号と同一のものは、特に説明の無い限り実施例１と同様の構成要素等を示す。
【００５１】
本例のシート材３ｃにおける、袋部領域３１ｃの前端３１１ｃから把持部領域３３ｃの後端３３１ｃまでの長さ寸法は８３ｍｍである。また、シート材３ｃは、縁部領域３２ｃと把持部領域３３ｃとの境界において最大の幅寸法を有している。シート材３ｃの最大の幅寸法は４６ｍｍである。
【００５２】
袋部領域３１は、前端３１１ｃから把持部領域３３ｃ側へ向かうにつれて次第に幅が広くなるように形成されている。また、袋部領域３１ｃの外周部３１２ｃは略Ｕ字状に湾曲した形状を呈している。
【００５３】
縁部領域３２ｃは、実施例１と同様に、全体が拡開領域３２１となるように構成されている。縁部領域３２ｃにおける一対の外周部３２４（３２４ａ、３２４ｂ）のうち、一方の外周部は略円弧状を呈する弧状部３２４ａを構成しており、他方の外周部３２４ｂが直線状を呈している。本例における弧状部３２４ａの曲率半径は２２ｍｍである。また、縁部領域３２ｃは、把持部領域３３ｃ側の一対の端点３２５（３２５ａ、３２５ｂ）を結んでなる仮想線Ｌ２を基準としたときに、弧状部３２４ａ側の端点３２５ａから袋部領域３１側に向かって引いた接線Ｌ３と仮想線Ｌ２とのなす角度θ１が６５°となるように構成されている。なお、他方の端点３２５ｂから袋部領域３１ｃ側に向かって引いた接線Ｌ４と仮想線Ｌ２とのなす角度θ２は９０°となるように構成されている。
【００５４】
把持部領域３３ｃは、縁部領域３２ｃとの境界から延設されており、袋部領域３１ｃから遠ざかるにつれて幅が狭くなるように構成されている。
【００５５】
次に、本例のカバー１ｂを装着するリムーバー２ｂについて説明する。図６に示すように、リムーバー２ｂは全体として略棒状の形状を有するリムーバー本体部２５と、リムーバー本体部２５の先端に配置された吸着ヘッド部２２ｂとを有している。本例の吸着ヘッド部２２ｂは、リムーバー本体部２５の側周面から一方向に膨出しており、略半円板状を呈している。また、吸着ヘッド部２２ｂは、その厚み方向における一対の外表面に磁力発生面２１ｂを有している。
【００５６】
なお、本実施例において、リムーバー２ｂの長手方向における吸着ヘッド部２２ｂ側を前方といい、その反対側を後方ということがある。また、吸着ヘッド部２２ｂの膨出方向を下方といい、その反対側を上方ということがある。また、吸着ヘッド部２２ｂの厚み方向を側方ということがある。これらのリムーバー２ｂの方向に関する表示は便宜上のものであり、リムーバー２ｂを実際に使用する際の方向とは何ら関係が無い。
【００５７】
本例のカバー１ｂは、例えば以下のようにして使用することができる。まず、環状縁部１２ｂにおける弧状部３２４ａ側を下方に向け、かつ、一対の把持部１３ｃを側方に向けた状態で、挿入口１２１ｂから吸着ヘッド部２２ｂを挿入する。そして、磁力発生面２１ｂが袋部１１ｂにより覆われるまで吸着ヘッド部２２ｂをカバー１ｂ内に進入させることにより、カバー１ｂを吸着ヘッド部２２ｂに装着することができる。カバー１ｂが吸着ヘッド部２２ｂに装着された状態において、一対の磁力発生面２１ｂは、それぞれシート材３ｃの袋部領域３１ｃにより覆われている。
【００５８】
袋部１１ｂの表面に吸着された美容剤４を廃棄する際、使用者は一対の把持部１３ｃを両側方に開き、次いで一対の把持部１３ｃを前方へ向けて折り返す。本例のカバー１は環状縁部１２ｂの下方に弧状部３２４ａを有しているため、一対の把持部１３ｃを前方へ向けて折り返す際に、弧状部３２４ａ及びその近傍を自然に反転変形させることができる。そして、弧状部３２４ａの反転に伴ってその周辺が折り返され、最終的に環状縁部１２ｂ全体を反転変形させることができる。これにより、挿入口１２１ｂに沿った環状の折り返し部１４が形成される（図示略）。その後、一対の把持部１３ｃを前方へ向けて引っ張ることにより、カバー１ｂ全体を反転変形させることができる。その他は実施例１と同様である。
【００５９】
本例のカバー１ｂのように、シート材３ｂが少なくとも１箇所の弧状部３２４ａを有していれば、カバー１の反転変形をより容易に行うことができる。本例のカバー１は、その他に実施例１と同様の作用効果を奏することができる。
【００６０】
なお、実施例１及び実施例２には、環状縁部全体が拡開部となるカバーの例を示したが、拡開部は、環状縁部の少なくとも一部に形成されていれば良い。拡開部が環状縁部の一部に形成されている場合には、拡開部の位置は特に限定されることは無く、例えば環状縁部の中央や、袋部との境界近傍に形成されていても良い。
【００６１】
また、実施例１及び実施例２には、拡開領域に弧状部を１箇所以上有するカバーの例を示したが、拡開領域の外周部に弧状部を有しない構成とすることも可能である。即ち、拡開領域の外周部が直線状に構成されていてもカバーの反転変形を容易に行うことができる。
【００６２】
また、カバーの具体的な形状は実施例１及び実施例２に示した形状に限定されることは無く、カバーを装着する吸着ヘッド部の形状に応じて適宜変更することができる。
【符号の説明】
【００６３】
１、１ｂ  リムーバー用カバー
１１、１１ｂ  袋部
１２、１２ｂ  環状縁部
１２１、１２１ｂ  挿入口
１２２、１２２ｂ  拡開部
１３、１３ａ、１３ｂ、１３ｃ  把持部
２、２ｂ  リムーバー
２１、２１ｂ  磁力発生面
２２、２２ｂ  吸着ヘッド部
【図１】
0006378109.tif 000002
【図２】
0006378109.tif 000003
【図３】
0006378109.tif 000004
【図４】
0006378109.tif 000005
【図５】
0006378109.tif 000006
【図６】
0006378109.tif 000007
【図７】
0006378109.tif 000008